(57)【要約】      （修正有）【課題】駒が進む経路をゲーム中に変化させることのできるボードゲーム用具を提供する。【解決手段】連続する複数のマス３からなる経路２が表面に描かれたボード１は、経路２を分割した分割経路２１〜２４が表面に描かれた複数の分割ボード１１〜１４から構成され、このうち分割ボード１２〜１４には、隣接する分割ボードの分割経路と連結可能な他の分割経路が裏面に描かれており、分割ボード１２〜１４の表面に描かれた分割経路２２〜２４と、裏面に描かれた分割経路とは、互いに異なるイベントをゲーム中に発生させるマス３をそれぞれ有している。【選択図】図１
0003158350.tif 000002
【実用新案登録請求の範囲】
【請求項１】
連続する複数のマスからなる経路が表面に描かれたボードを有し、前記経路に沿って駒を移動させるボードゲームに用いられるボードゲーム用具において、
前記ボードは、前記経路を分割した分割経路がそれぞれの表面に描かれた複数の分割ボードから構成され、
前記複数の分割ボードのうち少なくとも１つの分割ボードには、隣接する分割ボードの分割経路と連結可能な他の分割経路が裏面に描かれており、
前記少なくとも１つの分割ボードの表面に描かれた分割経路と、裏面に描かれた他の分割経路とは、互いに異なるイベントをゲーム中に発生させるマスをそれぞれ有することを特徴とするボードゲーム用具。
【請求項２】
前記少なくとも１つの分割ボードには、表面と裏面とに反転可能な立体物が設けられていることを特徴とする請求項１に記載のボードゲーム用具。
【請求項３】
前記立体物は、表面と裏面とに反転可能なように前記少なくとも１つの分割ボードに軸支されていることを特徴とする請求項２に記載のボードゲーム用具。
【請求項４】
前記立体物は、ゴムで形成され、前記少なくとも１つの分割ボードの表面と裏面とに選択的に突出可能なように設けられていることを特徴とする請求項２に記載のボードゲーム用具。
【請求項５】
前記複数のマスは、人生の様々なイベントをゲーム中に発生させ、
前記少なくとも１つの分割ボードの表面に描かれた分割経路と、裏面に描かれた他の分割経路とは、互いに異なる人生のイベントをゲーム中に発生させるマスを有することを特徴とする請求項１〜４のいずれか一項に記載のボードゲーム用具。
【請求項６】
前記少なくとも１つの分割ボードは、いずれかの分割経路内のマスで発生するゲーム中のイベントによって表面と裏面とに反転されることを特徴とする請求項１〜５のいずれか一項に記載のボードゲーム用具。
【請求項７】
ゲーム中にプレーヤーが数字を決定するためのルーレットを有することを特徴とする請求項１〜６のいずれか一項に記載のボードゲーム用具。
【考案の詳細な説明】
【技術分野】
【０００１】
本考案は、ボードゲーム用具に関する。
【背景技術】
【０００２】
従来、複数のプレーヤーが例えばルーレットを順番に回し、イベントを発生させる複数のマスからなる経路に沿って、出た目の数だけボード上で自分の駒を進めながらゲームを進行させるボードゲームが知られている。
【考案の概要】
【考案が解決しようとする課題】
【０００３】
しかしながら、上記のような従来のボードゲームでは、駒が進む経路が予め決まっており、ひいては経路中の各マスで発生するイベントが予め決まっているため、興趣に乏しかった。
【０００４】
本考案は、かかる事情を鑑みてなされたもので、駒が進む経路をゲーム中に変化させることのできるボードゲーム用具の提供を目的とする。
【課題を解決するための手段】
【０００５】
上記課題を解決するため、請求項１に記載の考案は、連続する複数のマスからなる経路が表面に描かれたボードを有し、前記経路に沿って駒を移動させるボードゲームに用いられるボードゲーム用具において、
前記ボードは、前記経路を分割した分割経路がそれぞれの表面に描かれた複数の分割ボードから構成され、
前記複数の分割ボードのうち少なくとも１つの分割ボードには、隣接する分割ボードの分割経路と連結可能な他の分割経路が裏面に描かれており、
前記少なくとも１つの分割ボードの表面に描かれた分割経路と、裏面に描かれた他の分割経路とは、互いに異なるイベントをゲーム中に発生させるマスをそれぞれ有することを特徴とする。
【０００６】
請求項２に記載の考案は、請求項１に記載のボードゲーム用具において、
前記少なくとも１つの分割ボードには、表面と裏面とに反転可能な立体物が設けられていることを特徴とする。
【０００７】
請求項３に記載の考案は、請求項２に記載のボードゲーム用具において、
前記立体物は、表面と裏面とに反転可能なように前記少なくとも１つの分割ボードに軸支されていることを特徴とする。
【０００８】
請求項４に記載の考案は、請求項２に記載のボードゲーム用具において、
前記立体物は、ゴムで形成され、前記少なくとも１つの分割ボードの表面と裏面とに選択的に突出可能なように設けられていることを特徴とする。
【０００９】
請求項５に記載の考案は、請求項１〜４のいずれか一項に記載のボードゲーム用具において、
前記複数のマスは、人生の様々なイベントをゲーム中に発生させ、
前記少なくとも１つの分割ボードの表面に描かれた分割経路と、裏面に描かれた他の分割経路とは、互いに異なる人生のイベントをゲーム中に発生させるマスを有することを特徴とする。
【００１０】
請求項６に記載の考案は、請求項１〜５のいずれか一項に記載のボードゲーム用具において、
前記少なくとも１つの分割ボードは、いずれかの分割経路内のマスで発生するゲーム中のイベントによって表面と裏面とに反転されることを特徴とする。
【００１１】
請求項７に記載の考案は、請求項１〜６のいずれか一項に記載のボードゲーム用具において、
ゲーム中にプレーヤーが数字を決定するためのルーレットを有することを特徴とする。
【考案の効果】
【００１２】
本考案によれば、ボードは、経路を分割した分割経路がそれぞれの表面に描かれた複数の分割ボードから構成され、このうち少なくとも１つの分割ボードには、隣接する分割ボードの分割経路と連結可能な他の分割経路が裏面に描かれており、その表面に描かれた分割経路と裏面に描かれた他の分割経路とは、互いに異なるイベントをゲーム中に発生させるマスをそれぞれ有している。これにより、上記の少なくとも１つの分割ボードを裏面に反転させることで、駒が進む経路をゲーム中に変化させることができる。
【図面の簡単な説明】
【００１３】
【図１】本実施形態におけるボードゲーム用具が有するボードの平面図である。
【図２】（ａ）立体物の斜視図であり、（ｂ）反転途中の立体物の斜視図である。
【図３】３つの分割ボードを反転させた状態のボードの平面図である。
【図４】チェンジカードの平面図である。
【考案を実施するための形態】
【００１４】
以下、本考案の実施形態について図面を参照しながら説明する。
【００１５】
図１は、本実施形態におけるボードゲーム用具が有するボード１の平面図である。
この図に示すように、ボード１は、ボードゲームに用いられるゲーム盤であり、その表面には、連続する複数のマス３からなる経路２が描かれている。経路２内の複数のマス３には、ゲーム中に発生する様々なイベントが記入されており、その内容は、人生の様々なイベントを模したものとなっている。つまり、当該ボードゲームは、いわゆる人生ゲームである。
このボード１は、４つの分割ボード１１〜１４に分割されており、これら分割ボード１１〜１４の表面には、経路２を分割した分割経路２１〜２４が描かれている。これら分割経路２１〜２４は、この順に連結されて経路２を構成しており、「スタート」マスを除く各分割経路２１〜２４の端点である連結マス３１を介して、隣接する分割ボードの分割経路と連結されている。
【００１６】
分割ボード１１〜１４の表面には、各分割ボード１１〜１４を判別するために、当該分割ボード１１〜１４に対応して「１」，「２Ａ」，「３Ａ」，「４Ａ」と書かれたマーク４がそれぞれの角部に設けられている。このマーク４は、各分割ボード１１〜１４の分割経路２１〜２４を正しく連結させたときにボード１の中心寄りに位置するように設けられている。
【００１７】
分割ボード１１には、ゲーム中にプレーヤーが自分の駒を進める数などの数字を決定するためのルーレット１１０が設けられている。
また、分割ボード１２〜１４には、プレーヤーがゲーム中に購入する建造物を表す立体物５がそれぞれに設けられている。この立体物５は、図２（ａ），（ｂ）に示すように、分割ボード１２〜１４の表面と裏面とに反転可能なように設けられており、本実施形態においては、当該立体物５を支持するベース板５１が、表面と裏面とに反転可能なように各分割ボード１２〜１４に軸支されている。
【００１８】
図３は、全ての分割ボード１１〜１４のうち３つの分割ボード１２〜１４を反転させた状態のボード１の平面図である。
この図に示すように、分割ボード１２〜１４の裏面には、それぞれの表面に描かれた分割経路２２〜２４とは異なる他の分割経路２２ａ〜２４ａが描かれている。但し、分割経路２２〜２４と分割経路２２ａ〜２４ａとは、各分割ボード１２〜１４の表裏でマス３の数が一致している。この裏面の分割経路２２ａ〜２４ａは、表面の分割経路２２〜２４と各連結マス３１の位置が対応しており、隣接する分割ボードの分割経路と表裏を問わず連結可能になっている。つまり、分割ボード１２〜１４は、単体で裏面に反転された場合と複数同時に裏面に反転された場合とのいずれの場合においても、それぞれの分割経路が隣接する分割経路と連結可能となっている。また、各分割ボード１２〜１４の表面に描かれた分割経路２２〜２４と、裏面に描かれた分割経路２２ａ〜２４ａとは、後述するように、互いに異なる人生のイベントをゲーム中に発生させるマス３をそれぞれ有している。
【００１９】
また、分割ボード１２〜１４の裏面には、当該分割ボード１２〜１４に対応して「２Ｂ」，「３Ｂ」，「４Ｂ」と書かれたマーク４ａが、表面のマーク４と対応する角部にそれぞれ設けられている。このマーク４ａにより、分割ボード１２〜１４の表裏が判別可能となっている。
【００２０】
次に、ボード１を用いたボードゲームの遊び方について、図１，２を参照して説明する。
【００２１】
まず、ゲームを開始するときには、分割ボード１２〜１４は表面を上向きにした図１の状態とし、各立体物５は各分割ボード１２〜１４の表面に突出させた状態としておく。
ゲームが開始されると、各プレーヤーは、順番にルーレット１１０を回し、出た目の数だけ「スタート」マスから分割経路２１に沿って自分の駒を進める。そして、駒が停止したマス３に記入されたイベントを発生させ、主に玩具紙幣を獲得したり支払ったりしながら順次駒を進めていく。
【００２２】
駒が分割経路２１の連結マス３１手前の停止マス３２に到達すると、その駒はルーレット１１０の目に関係なく当該停止マス３２に強制的に止められる。そこで、その駒のプレーヤーは、ルーレット１１０で所定の目を出すなどの一定の条件を満たした場合に、それまでに入手した図４に示すようなチェンジカード６を使用して、そこから先に続く分割ボード１２を反転させることができる。このとき、例えば分割ボード１２を表面から裏面に反転させるときに、分割ボード１２表面の分割経路２２上に他の駒が停止していた場合には、当該他の駒は、分割ボード１２裏面の分割経路２２ａ上の対応するマス３に移動させられる。ここで、「対応するマス３」とは、その駒が停止していた分割経路２２上のマス３と、進んだ数が一致する分割経路２２ａ上のマス３であり、各分割経路２２，２２ａのマス３内に５刻みで表示された数字によって容易に判別することができる。分割ボード１２を裏面から表面に反転させる場合においても、同様にして他の駒を移動させる。また、分割ボード１２を反転させる場合には、その立体物５も同時に反転させて床に干渉しない状態にしておく。
【００２３】
続いて、プレーヤーは、分割ボード１２表面の分割経路２２又は裏面の分割経路２２ａに沿って同様に駒を進める。ここで、分割ボード１２は「結婚ステージ」となっており、プレーヤーは結婚に関係する様々なイベントを楽しむことができる。このうち、表面の分割経路２２上のマス３で発生するイベントは、「映画」や「ジミ婚」などの平凡な内容となっている。一方、裏面の分割経路２２ａ上のマス３で発生するイベントは、「オペラ鑑賞」や「セレブ婚」などの華やかな内容となっている。
そして、駒が分割経路２２又は分割経路２２ａの連結マス３１手前の停止マス３２に到達すると、その駒は当該停止マス３２に強制的に止められ、上述の分割ボード１２のときと同様に、分割ボード１３を反転させるイベントが発生する。
【００２４】
続いて、プレーヤーは、分割ボード１３表面の分割経路２３又は裏面の分割経路２３ａに沿って同様に駒を進める。ここで、分割ボード１３は「ビジネスステージ」となっており、プレーヤーはビジネスに関係する様々なイベントを楽しむことができる。このうち、表面の分割経路２３上のマス３で発生するイベントは、「昇級」や「転職」など、一般社会のビジネスマンに起こる内容となっている。一方、裏面の分割経路２３ａ上のマス３で発生するイベントは、「財宝の発掘」や「新種の生物の発見」など、冒険家が体験するような内容となっている。
そして、駒が分割経路２３又は分割経路２３ａの連結マス３１手前の停止マス３２に到達すると、その駒は当該停止マス３２に強制的に止められ、上述の分割ボード１２のときと同様に、分割ボード１４を反転させるイベントが発生する。
【００２５】
続いて、プレーヤーは、分割ボード１４表面の分割経路２４又は裏面の分割経路２４ａに沿って同様に駒を進める。ここで、分割ボード１４は「サプライズステージ」となっており、プレーヤーは驚きに満ちた様々なイベントを楽しむことができる。このうち、表面の分割経路２４上のマス３で発生するイベントは、「孫の誕生」や「連帯保証人になる」など、主に家族に関係した内容となっている。一方、裏面の分割経路２４ａ上のマス３で発生するイベントは、「株で一儲け」や「バイオ燃料を開発する」など、現実離れした内容となっている。
【００２６】
そして、駒が分割経路２４又は分割経路２４ａの終端である「ゴール」マスに到達すると、プレーヤーは到達した順番に応じた玩具紙幣の賞金を獲得する。全プレーヤーがゴールした後、最後に、各プレーヤーが獲得した総資産を比較して、順位を決定する。
【００２７】
以上のボード１を有するボードゲーム用具によれば、ボード１は、経路２を分割した分割経路２１〜２４が表面に描かれた複数の分割ボード１１〜１４から構成され、このうち分割ボード１２〜１４には、隣接する分割ボードの分割経路と連結可能な他の分割経路２２ａ〜２４ａが裏面に描かれており、その表面に描かれた分割経路２２〜２４と裏面に描かれた分割経路２２ａ〜２４ａとは、互いに異なるイベントをゲーム中に発生させるマス３をそれぞれ有している。これにより、分割ボード１２〜１４のうちの少なくとも１つを裏面に反転させることで、駒が進む経路２をゲーム中に変化させることができる。したがって、経路２中の各マス３で発生するイベントをゲーム中に変化させることができ、多いに興趣を高めることができる。
【００２８】
また、分割ボード１２〜１４に設けられた立体物５は、当該分割ボード１２〜１４の表面と裏面とに反転可能であるので、支障なく分割ボード１２〜１４を裏面に反転させることができる。
【００２９】
また、各分割ボード１２〜１４は、その直前の分割ボード１１〜１３の停止マス３２で発生するゲーム中のイベントによって表面と裏面とに反転されうるので、その後に続く各分割ボード１２〜１４でのイベントの内容を一変させかねない当該反転イベントによって、一層興趣を高めることができる。但し、分割ボード１２〜１４を反転させるイベントは、停止マス３２で発生するものでなくともよく、いずれかの分割経路内のマス３で発生するものであればよい。
【００３０】
なお、本考案は上記実施形態に限定して解釈されるべきではなく、適宜変更・改良が可能であることは勿論である。
【００３１】
例えば、上記実施形態では、３つの分割ボード１２〜１４の裏面に分割経路２２ａ〜２４ａが描かれているものとしたが、このような分割ボードは少なくとも１つあればよい。
【００３２】
また、立体物５は、ベース板５１の回転により各分割ボード１２〜１４の表面と裏面とに反転するものとしたが、このような構成に限定されるものではない。例えば、立体物５をゴムで形成し、各分割ボード１２〜１４の表面と裏面とに選択的に突出可能なように設けてもよい。この場合に、各分割ボード１２〜１４の表面と裏面とで、例えば平凡な家と豪華な邸宅といったように、それぞれのマスで発生するイベントの傾向に応じて立体物５の形状を変化させておくと、一層興趣を高めることができる。
【符号の説明】
【００３３】
１        ボード
２        経路
３        マス
５        立体物
１１，１２，１３，１４  分割ボード
２１，２２，２３，２４  分割経路
２２ａ，２３ａ，２４ａ  分割経路（他の分割経路）
１１０    ルーレット
【図２】
0003158350.tif 000003
【図４】
0003158350.tif 000004
【図１】
0003158350.tif 000005
【図３】
0003158350.tif 000006